【手続補正書】
【提出日】平成30年11月12日(2018.11.12)
【手続補正１】
【補正対象書類名】明細書
【補正対象項目名】発明の名称
【補正方法】変更
【補正の内容】
【発明の名称】発光装置、その制御方法、および撮像装置
【手続補正２】
【補正対象書類名】明細書
【補正対象項目名】０００１
【補正方法】変更
【補正の内容】
【０００１】
本発明は、発光装置、その制御方法、および撮像装置に関し、特に、撮影の際に壁などのバウンス面に光を反射させて被写体を照明する発光装置に関する。
【手続補正３】
【補正対象書類名】明細書
【補正対象項目名】０００９
【補正方法】変更
【補正の内容】
【０００９】
そこで、本発明の目的は、被写体の顔の向きに応じて最適なバウンス撮影を行うことができる反射面を選択することができる発光装置、その制御方法、および撮像装置を提供することにある。
【手続補正４】
【補正対象書類名】明細書
【補正対象項目名】００１０
【補正方法】変更
【補正の内容】
【００１０】
上記の目的を達成するため、本発明による発光装置は、撮像装置によって被写体を撮影する際に光を照射する発光手段を有する発光装置であって、前記発光手段から発光された光をバウンス面で反射させて前記被写体を照明して撮影を行うバウンス撮影の際、前記撮像装置から送られ撮影の際の前記被写体の向きを示す向き情報に基づいて前記バウンス撮影を行う際のバウンス面の方向を決定する決定手段と、前記決定手段で決定されたバウンス面の方向に存在するバウンス面と前記撮像装置との距離に応じて前記バウンス撮影を行う際の前記発光手段の角度をバウンス角度として求めて、当該バウンス角度に前記発光手段を制御する制御手段と、を有することを特徴とする。
【手続補正５】
【補正対象書類名】明細書
【補正対象項目名】００１１
【補正方法】変更
【補正の内容】
【００１１】
本発明による制御方法は、撮像装置によって被写体を撮影する際に光を照射する発光手段を有する発光装置の制御方法であって、前記発光手段から発光された光をバウンス面で反射させて前記被写体を照明して撮影を行うバウンス撮影の際、前記撮像装置から送られ撮影の際の前記被写体の向きを示す向き情報に基づいて前記バウンス撮影を行う際のバウンス面の方向を決定する決定ステップと、前記決定ステップで決定されたバウンス面の方向に存在するバウンス面と前記撮像装置との距離に応じて前記バウンス撮影を行う際の前記発光手段の角度をバウンス角度として求めて、当該バウンス角度に前記発光手段を制御する制御ステップと、を有することを特徴とする。
【手続補正６】
【補正対象書類名】明細書
【補正対象項目名】００１２
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
撮像装置によって被写体を撮影する際に光を照射する発光手段を有する発光装置であって、
前記発光手段から発光された光をバウンス面で反射させて前記被写体を照明して撮影を行うバウンス撮影の際、前記撮像装置から送られ撮影の際の前記被写体の向きを示す向き情報に基づいて前記バウンス撮影を行う際のバウンス面の方向を決定する決定手段と、
前記決定手段で決定されたバウンス面の方向に存在するバウンス面と前記撮像装置との距離に応じて前記バウンス撮影を行う際の前記発光手段の角度をバウンス角度として求めて、当該バウンス角度に前記発光手段を制御する制御手段と、
を有することを特徴とする発光装置。
【請求項２】
前記決定手段は、前記バウンス撮影の前に前記撮像装置から送られた画像において前記被写体の向きを検出して前記向き情報を得ることを特徴とする請求項１に記載の発光装置。
【請求項３】
前記撮像装置には、前記バウンス撮影の前に前記向き情報を得るための画像を取得する取得手段と、
前記取得手段で得られた画像において前記被写体の向きを検出して前記向き情報を得る検出手段と、
前記向き情報を前記発光装置に送る通知手段とが備えられていることを特徴とする請求項１に記載の発光装置。
【請求項４】
前記決定手段によって決定されたバウンス面の方向に前記バウンス撮影に用いるバウンス面が存在するか否かを判定する判定手段と、
前記判定手段によってバウンス面が存在しないと判定された場合、前記バウンス撮影の際に用いるバウンス面が存在しない旨を前記撮像装置に報知する報知手段とを有することを特徴とする請求項１乃至３のいずれか１項に記載の発光装置。
【請求項５】
前記決定手段によって決定されたバウンス面の方向に前記バウンス撮影に用いるバウンス面が存在するか否かを判定する判定手段と、
前記判定手段によってバウンス面が存在しないと判定された場合、前記バウンス撮影の際に用いるバウンス面が存在しない旨をユーザに警告する警告手段とを有することを特徴とする請求項１乃至３のいずれか１項に記載の発光装置。
【請求項６】
前記決定手段によって決定されたバウンス面の方向に前記バウンス撮影に用いるバウンス面が存在するか否かを判定する第１の判定手段と、
前記第１の判定手段によってバウンス面が存在しないと判定された場合、前記決定手段によって決定されたバウンス面の方向を除く方向にバウンス面が存在するか否かを判定する第２の判定手段と、
前記第２の判定手段によってバウンス面が存在すると判定されると、当該バウンス面の方向に応じて前記被写体の向きを変更する旨を前記撮像装置に報知する報知手段とを有することを特徴とする請求項１乃至３のいずれか１項に記載の発光装置。
【請求項７】
前記決定手段によって決定されたバウンス面の方向に前記バウンス撮影に用いるバウンス面が存在するか否かを判定する第１の判定手段と、
前記第１の判定手段によってバウンス面が存在しないと判定された場合、前記決定手段によって決定されたバウンス面の方向を除く方向にバウンス面が存在するか否かを判定する第２の判定手段と、
前記第２の判定手段によってバウンス面が存在すると判定されると、当該バウンス面の方向に応じて前記被写体の向きを変更する旨をユーザに警告する警告手段とを有することを特徴とする請求項１乃至３のいずれか１項に記載の発光装置。
【請求項８】
前記第１の判定手段および第２の判定手段の各々はバウンス面として用いる壁が存在するか否かを判定しており、
前記第２の判定手段によってバウンス面として用いる壁が存在しないと判定されると、前記決定手段は、天井までの距離が予め定められた距離未満であると前記天井を前記バウンス撮影に用いるバウンス面として決定することを特徴とする請求項６又は７に記載の発光装置。
【請求項９】
前記天井までの距離が前記予め定められた距離以上であると、前記制御手段は前記被写体の正面から光を照射する正面照射に切り替えることを特徴とする請求項８記載の発光装置。
【請求項１０】
前記被写体が複数である場合に、前記決定手段は前記向き情報に基づいて前記被写体の顔の向きが一致していると、前記顔の向きにある壁を前記バウンス撮影の際のバウンス面と決定し、前記被写体の向きが不一致であると天井を前記バウンス撮影の際のバウンス面と決定することを特徴とする請求項１に記載の発光装置。
【請求項１１】
前記決定手段は、前記被写体の顔の向きが一致している場合であっても複数の被写体の間の距離が所定の距離以上であると前記天井を前記バウンス撮影の際のバウンス面として決定することを特徴とする請求項１０に記載の発光装置。
【請求項１２】
前記決定手段は、前記被写体の顔の向きが一致し、複数の被写体の間の距離が所定の距離未満であって、かつ前記複数の被写体の各々と前記撮像装置との距離が所定の範囲にあると前記被写体の向きに存在する壁をバウンス撮影の際のバウンス面として決定することを特徴とする請求項１０に記載の発光装置。
【請求項１３】
前記決定手段は、前記被写体の向き向きが一致し、複数の被写体の間の距離が所定の距離未満であって、かつ前記複数の被写体の各々と前記撮像装置との距離が所定の範囲にないと、前記複数の被写体を被写体列として当該被写体列の向きと前記被写体の向きとが一致している場合には、前記被写体列の向きに存在する壁を前記バウンス撮影の際のバウンス面と決定することを特徴とする請求項１０に記載の発光装置。
【請求項１４】
前記被写体列の向きと前記被写体の向きとが一致していない場合には、前記撮像装置にその旨を報知する報知手段を有することを特徴とする請求項１３に記載の発光装置。
【請求項１５】
前記被写体列の向きと前記被写体の向きとが一致していない場合には、その旨をユーザに警告する警告手段を有することを特徴とする請求項１３に記載の発光装置。
【請求項１６】
前記被写体が複数である場合に、前記決定手段は前記向き情報に基づいて前記被写体の向きのうち最も多い向きの方向に存在するバウンス面を前記バウンス撮影の際のバウンス面と決定することを特徴とする請求項１に記載の発光装置。
【請求項１７】
前記複数の被写体において優先する被写体が存在すると、前記決定手段は前記優先する被写体の向きの方向に存在するバウンス面を前記バウンス撮影の際のバウンス面と決定することを特徴とする請求項１に記載の発光装置。
【請求項１８】
被写体を撮影する際に発光装置によって光を照射して前記被写体を撮影する撮像装置であって、
前記発光装置から発光された光をバウンス面で反射させて前記被写体を照明して撮影を行うバウンス撮影の際、撮影前に前記被写体の向きを検出するための画像を得て、当該画像において前記被写体の向きを検出して向き情報を得る検出手段と、
前記向き情報に基づいて前記バウンス撮影を行う際のバウンス面の方向を決定する決定手段と、
前記決定手段で決定されたバウンス面の方向を示す情報を前記発光装置に送る送信手段と、
を有することを特徴とする撮像装置。
【請求項１９】
前記発光装置では、前記バウンス面の方向に存在するバウンス面と前記撮像装置との距離に応じて前記バウンス撮影を行う際の前記発光手段の角度をバウンス角度として求めて、当該バウンス角度に前記発光手段を制御することを特徴とする請求項１８に記載の撮像装置。
【請求項２０】
撮像装置によって被写体を撮影する際に光を照射する発光手段を有する発光装置の制御方法であって、
前記発光手段から発光された光をバウンス面で反射させて前記被写体を照明して撮影を行うバウンス撮影の際、前記撮像装置から送られ撮影の際の前記被写体の向きを示す向き情報に基づいて前記バウンス撮影を行う際のバウンス面の方向を決定する決定ステップと、
前記決定ステップで決定されたバウンス面の方向に存在するバウンス面と前記撮像装置との距離に応じて前記バウンス撮影を行う際の前記発光手段の角度をバウンス角度として求めて、当該バウンス角度に前記発光手段を制御する制御ステップと、
を有することを特徴とする制御方法。